(57)【要約】【課題】液体中に液体又は気体を吸入して混合あるいは溶解させるエジェクタにおいて、背圧をかけてベンチュリー効果を生じさせるとともに、サニタリー性を有するエジェクタを提供する。【解決手段】加圧された液体が流入する流入部１と、液体を流出する流出部２が管状に形成されるとともに、長手方向に直線状に配置され、流入部１と流出部２の結合部分に流入部１および流出部２の長手方向に直交する断面積よりも小さい断面積を有する絞り部３が形成され、絞り部３に吸入される液体又は気体を導入する吸入流体導入管４が接続されているエジェクタにおいて、流出部２の下方に、流出部２の吐出口５から吐出する液体を溜めて形成される液溜まり７に吐出口５が没する液溜め６が配置され、液溜め６には、液溜まり７に吐出口５が没した状態で液を流出させる流出手段が設けられているエジェクタ。【選択図】図１
2019132156.tif 000002
【特許請求の範囲】
【請求項１】
加圧された液体が流入する流入部と、液体を流出する流出部が管状に形成されるとともに、長手方向に直線状に配置され、前記流入部と前記流出部の結合部分に前記流入部および前記流出部の長手方向に直交する断面積よりも小さい断面積を有する絞り部が形成され、前記絞り部に吸入される液体又は気体を導入する吸入流体導入管が接続されているエジェクタにおいて、
前記流出部の下方に、前記流出部の吐出口から吐出する液体を溜めて形成される液溜まりに前記吐出口が没する液溜めが配置され、前記液溜めには、前記液溜まりに前記吐出口が没した状態で液を流出させる流出手段が設けられていることを特徴とするエジェクタ。
【請求項２】
前記流出手段が、液溜めの底部に形成された流出孔であることを特徴とする請求項１に記載のエジェクタ。
【請求項３】
前記流出手段が、前記液溜めの上部に形成した液がオーバーフローして流出する流出溝であることを特徴とする請求項１又は２に記載のエジェクタ。
【請求項４】
前記流出手段が、前記液溜めに形成されたスリットであることを特徴とする請求項１、２又は３に記載のエジェクタ。
【発明の詳細な説明】
【技術分野】
【０００１】
本発明は、液体が流れる際の自吸効果を利用して液体中に液体又は気体の流体を吸入して加え、混合あるいは溶解させるエジェクタに関するものである。
【背景技術】
【０００２】
ミルクや炭酸などを加えたコーヒーや炭酸水などの飲料のように、液体に一定量の液体又は気体を吸入して加え、混合した混合液を製造する際、混合手段としてベンチュリー効果を利用するエジェクタが利用されており、エジェクタでは液体が流れる際の自吸効果により液体中に液体又は気体が吸入される（引用文献１〜６参照）。
【０００３】
図４において、一般的なベンチュリータイプのエジェクタは、管状に形成されるとともに、加圧された液体が流入する流入部１と液体を流出する流出部２が長手方向に直線状に配置され、流出部２から液体を吐出する。流入部１と流出部２との結合部分には、流入部１および流出部２の断面積よりも小さい断面積を有する絞り部３が形成されている。絞り部３には吸入される液体又は気体を導入する吸入流体導入管４が連通している。図４中のＦ１は絞り部の断面、Ｆ２は流出部の断面を示す。
【０００４】
前記の構成により、流入部１から流入した液体が絞り部３を介して流出部２へと噴出される際に、絞り部３に負圧が生じ、ベンチュリー効果によって吸入流体導入管４から絞り部３に流体が吸入されて、エジェクタを流れる液体に混合されるというものである。
【０００５】
従来のエジェクタでは、一定量の液体又は気体を吸入させる揚合において、流出部からそのまま大気中に吐水すると、液体が流出部内部に満たされずにそのまま吐水していくため、背圧がかからずにベンチュリー効果が生じないので、引用文献１〜６にみられるように、流出部の吐出口に配管等を接続して背圧がかかるようにしてベンチュリー効果を生じさせている。
【０００６】
また、飲料などの衛生面を求められる用途においては、内部をクリーンに清掃して良好なサニタリー性が要求されるので、使用時間に応じて配管などを分解して洗浄を行うなどの清掃作業が実施されている。その際には、エジェクタの流出部の吐出口から配管を取り外し、洗浄後に組み立てる作業が行われている。
【先行技術文献】
【特許文献】
【０００７】
【特許文献１】特開２０１７−７９９４７号公報
【特許文献２】特開２０１６−２２１０８５号公報
【特許文献３】特開２０１４−１６６６２９号公報
【特許文献４】特開２０１５−３９５２３号公報
【特許文献５】特開２００６−１６７６１２号公報
【特許文献６】実用新案登録３１３９４６０号公報
【発明の概要】
【発明が解決しようとする課題】
【０００８】
しかしながら、従来のエジェクタでは、ベンチュリー効果を生じさせるためにエジェクタの流出部の吐出口に配管を接続するなどして背圧がかかるようにするため、部品点数が増え、構造のコンパクト化が難しくなっている。また、配管などの接続により、装置の清掃の際に、配管をエジェクタの流出部の吐出口から取り外し、洗浄し、その後組立する作業を行わなければならないために、手間がかかるという問題があった。
【０００９】
そこで、本発明は、液体中に液体又は気体を吸入して混合あるいは溶解させるエジェクタにおいて、背圧をかけてベンチュリー効果を生じさせるとともに、サニタリー性を有するエジェクタを提供するものである。
【課題を解決するための手段】
【００１０】
本願請求項１の発明は、加圧された液体が流入する流入部と、液体を流出する流出部が管状に形成されるとともに、長手方向に直線状に配置され、前記流入部と前記流出部の結合部分に前記流入部および前記流出部の長手方向に直交する断面積よりも小さい断面積を有する絞り部が形成され、前記絞り部に吸入される液体又は気体を導入する吸入流体導入管が接続されているエジェクタにおいて、前記流出部の下方に、前記流出部の吐出口から吐出する液体を溜めて形成される液溜まりに前記吐出口が没する液溜めが配置され、前記液溜めには、前記液溜まりに前記吐出口が没した状態で液を流出させる流出手段が設けられていることを特徴とするエジェクタである。
【００１１】
本願請求項２の発明は  前記流出手段が、液溜めの底部に形成された流出孔であることを特徴とする請求項１に記載のエジェクタである。
【００１２】
本願請求項３の発明は、前記流出手段が、前記液溜めの上部に形成した液がオーバーフローして流出する流出溝であることを特徴とする請求項１又は２に記載のエジェクタである。
【００１３】
本願請求項４の発明は、前記流出手段が、前記液溜めに形成されたスリットであることを特徴とする請求項１、２又は３に記載のエジェクタである。
【発明の効果】
【００１４】
本発明のエジェクタは、流出部の吐出口が液溜まりに没した状態となるように液溜めを配置することにより、確実に背圧がかかり、ベンチュリー効果が発生する。
【００１５】
流出部の吐出口に接続する配管を必要としないので、装置のコンパクト化が可能となり、また、飲料等の流路にサニタリー性を持たせることができるだけでなく、配管の分解、洗浄、組み立て作業がなくなるので清掃が簡単になり、コストも削減できる。
【図面の簡単な説明】
【００１６】
【図１】本発明の実施例１の説明図で、（ａ）はエジェクタの全体を示す図、（ｂ）は液溜めを示す図である。
【図２】本発明の実施例２の説明図で、（ａ）はエジェクタの全体を示す図、（ｂ）は液溜めを示す図である。
【図３】本発明の実施例３の説明図で、（ａ）はエジェクタの全体を示す図、（ｂ）は液溜めを示す図である。
【図４】一般的なベンチュリータイプのエジェクタの概略を示す図である。
【発明を実施するための最良の形態】
【００１７】
本発明においては、確実にベンチュリー効果を発生させるために、エジェクタの流出部の吐出口が液溜めの液溜まりに没する液溜めと、液溜めの液溜まりに吐出口が没した状態で液を液溜めから流出させる流出手段を形成したものである。流出手段としては、液が流出する流出孔、流出スリット、流出溝、あるいはこれらを適宜組み合わせて形成する。
【００１８】
＜実施例１＞
図１において、本実施例のエジェクタは、図４に示すエジェクタＥと同じ構造であり、管状に形成され、加圧された液体が流入する流入部１と、液体を流出する流出部２が長手方向に直線状に配置されている。流入部１と流出部２との結合部分に流入部１および流出部２の断面積よりも小さい断面積を有する絞り部３が形成されている。絞り部３には、吸入される流体を導入する吸入流体導入管４が接続されている。
【００１９】
エジェクタＥの流出部２の下流には液溜め６が配置され、液溜め６に流出部２の吐出口５から吐出する液が溜められ、液溜まり７に吐出口５が没している。
【００２０】
液溜め６には、液溜まり７を吐出口５が没した状態で液を流出させる流出手段が設けられている。流出手段は液をオーバーフローさせる構造でもよく、本実施例では、液溜め６の底部に液が流出する複数の流出孔８が形成されている。
【００２１】
本実施例において、エジェクタEに液体を流すと、液溜め6に液溜まり7が出来るため、吐出口5は液に没した時点でベンチュリー効果が生じる。このペンチュリー効果で生じた負圧によって、吸入流体導入管4から液体又は気体が吸入され、流入部1から流入した液体と混合された状態で流出孔8から流出する。
【００２２】
＜実施例２＞
本実施例のエジェクタも、流入部１、流出部２、絞り部３で形成されており、図４に示すエジェクタＥと同じ構造なので、その説明は省略する。本実施例においては液溜まり７を吐出口５が没した状態で液を流出させるために液溜め６に形成する流出手段としてスリット上の流出スリット９を形成したものである。
【００２３】
＜実施例３＞
本実施例のエジェクタも、流入部１、流出部２、絞り部３で形成されており、図４に示すエジェクタＥと同じ構造なので、その説明は省略する。本実施例においては液溜まり７を吐出口５が没した状態で液を流出させるために液溜め６に形成する流出手段として、底部に流出孔５、上部に液がオーバーフローして流出する流出溝７を形成したものである。なお、液がオーバーフローして流出する流出溝７のみを形成したものであってもよいし、流出スリットと組み合わせてもよい。
【符号の説明】
【００２４】
１：流入部
２：流出部
３：絞り部
４：吸入流体導入管
５：吐出口
６：液溜め
７：液溜まり
８：流出孔
９：流出スリット
１０：流出溝
Ｅ：エジェクタ
【図１】
2019132156.tif 000003
【図２】
2019132156.tif 000004
【図３】
2019132156.tif 000005
【図４】
2019132156.tif 000006